(57)【要約】      （修正有）【課題】利用者が画質を調整前後で容易に比較することが可能な電子機器を提供する。【解決手段】設定を行う際、画面を分割し、分割画面Ａに調整前の状態を、分割画面Ｂ及びＣにも同様の状態で表示を行う。分割画面Ｂ及びＣは、それぞれ独立して設定値の変更を行うことができ、調整前と調整後の画面を、同時に比較することで、利用者は画質の調整を容易に行うことができる。【選択図】図３
2006311296.tif 000002
【特許請求の範囲】
【請求項１】
入力される映像音声信号を処理する入力信号処理部と、前記入力信号処理部により処理された映像音声信号に対して種々の設定の調整を行う制御／判断部と、この制御／判断部により調整された映像音声信号を出力する表示部と、各種調整データを記憶する記憶部を備えた電子機器において、利用者の操作により少なくとも表示画面を分割する分割指示部と、この指示部によって指定された分割画面数によって表示画面を分割する分割制御部と、この分割制御部及び前記表示部を制御する画面制御部を備え、前記分割制御部によって選択した各分割画面が前記制御／判断部によって各々の分割画面において画質調整を可能としたことを特徴とする調整効果確認機能。
【請求項２】
前記制御／判断部は、前記表示部に表示される分割画面に出力される複数の映像音声信号に対し、異なる項目の調整を個々の映像音声信号毎に行うことができ、それを随時出力する前記映像音声信号に反映することを特徴とする請求項１に記載の調整効果確認機能。
【請求項３】
請求項１又は２に記載の調整効果確認機能を備えたことを特徴とする電子機器。
【発明の詳細な説明】
【技術分野】
【０００１】
本発明は、例えばテレビジョン受像機のような、表示機能若しくは外部の表示装置に対する映像音声信号出力部を有する電子機器において、多画面に分割して表示し、その一つ一つに対してコントラストや明るさ等の種々の調整を行い、それぞれの画面を比較することで調整状態を容易に確認できる調整効果確認機能とそれを備える電子機器に関する。
【背景技術】
【０００２】
従来、テレビジョン受像機などの映像を扱う電子機器では、表示画面を分割し、視聴中の番組と共に別のチャンネルを表示する方法が開示されている。また、コントラストや色相、明るさなどの利用者の嗜好に応じた画質調整を電子機器に備える操作キーや、リモコンなどによって行えるようになっている。
【０００３】
例えば、特許文献１、２では、利用者が画質の調整を行う際に、画面を２分割し、一方を調整前の状態で表示、他方を調整画面として使用する方法が開示されている。例えば、現在設定されている明るさの値を５０として、明るさを設定する際、明るさの調整部を表示し、一方の画面は明るさを５０とした映像若しくは初期設定値による映像を表示し、他方の画面を、調整部によって変動する明るさによって映像を表示する方法である。これらの方法により、利用者は画質の調整の際に、調整前もしくは初期設定値の画質と調整中の画質を容易に比較することができるとされている。
【０００４】
【特許文献１】特開２００２−２１８３５０号公報
【特許文献２】特開２００４−１８６９２７号公報
【発明の開示】
【発明が解決しようとする課題】
【０００５】
しかしながら、従来の方法では、多画面で画質の調整を行う際に、調整前と後の１対１でしか比較することが出来ず、複数の設定項目によって画質の調整を行い比較しようとしても、設定項目１つずつの比較しかできず、多くの手間をかけざるを得ず、また、実際に視聴する際の画質は複数の設定項目を調整した後の画質であるため、利用者が実際の画質による比較をすることができないという欠点があった。
【０００６】
本発明は上記課題を鑑みてなされたものであり、２つ以上の多画面分割を行い、複数の分割画面によって画質を確認し、更に１つの分割画面が独立して種々の画面調整を行い、最終的に視聴する状態での画質の比較を可能とする調整効果確認機能とそれを備える電子機器を提供することを目的とする。
【課題を解決するための手段】
【０００７】
請求項１に係る調整効果確認機能は、入力される映像音声信号を処理する入力信号処理部と、前記入力信号処理部により処理された映像音声信号に対して種々の設定の調整を行う制御／判断部と、この制御／判断部により調整された映像音声信号を出力する表示部と、各種調整データを記憶する記憶部を備えた電子機器において、利用者の操作により少なくとも表示画面を分割する分割指示部と、この指示部によって指定された分割画面数によって表示画面を分割する分割制御部と、この分割制御部及び前記表示部を制御する画面制御部を備え、前記分割制御部によって選択した各分割画面が前記制御／判断部によって各々の分割画面において画質調整を可能としたことを特徴とする。
【０００８】
請求項１の構成によれば、例えば放送信号を受信するチューナや、記憶媒体に記憶されたデータを復号する入力信号処理部によって、映像音声信号が入力され、その映像音声信号の画質を調整する際に、利用者は画面を多画面に分割する操作を行い、制御／判断部はその操作に基づき、分割指示部に画面分割を指示し、分割指示部は分割制御部に対して画面分割を行うよう指示をする。それと共に制御／判断部は分割された画面のそれぞれに対して映像音声信号を復号してなる映像を表示するよう画面制御部の制御を行い、表示部に多画面に分割された映像を表示することができる。この分割された各々の映像の画質の調整を行うことにより、画質の比較を容易に行うことができる。
【０００９】
請求項２に係る前記制御／判断部は、前記表示部に表示される分割画面に出力される複数の映像音声信号に対し、異なる項目の調整を個々の映像音声信号毎に行うことができ、それを随時出力する前記映像音声信号に反映することを特徴とする。
【００１０】
請求項２の構成によれば、多画面に表示された映像の画質の調整を行う際に、画面毎に独立して調整項目を選択し、調整を行うことができ、それを表示中の映像に随時反映することができる。
【００１１】
請求項３に係る電子機器は、請求項１又は２に記載の調整効果確認機能を備えたことを特徴とする。
【００１２】
請求項３の構成によれば、電子機器が調整効果確認機能を備えたことにより、多画面表示をし、画面毎に画質の調整をすることができ、複数の画面を比較しながら調整することによって、利用者が所望の画質に設定を行うことができる。
【発明の効果】
【００１３】
請求項１に係る調整効果確認機能は、例えばテレビジョン受像機や、ＤＶＤ（Ｄｉｇｉｔａｌ  Ｖｅｒｓａｔｉｌｅ  Ｄｉｓｋ）再生装置といった映像音声信号再生装置などの電子機器において、入力若しくは読み込みされた映像音声信号を、複数の分割画面に表示し、それぞれの画面に映像音声信号を復号して映像を表示し、多画面の一つ一つに対して制御／判断部によって画質の調整を行うことができる。これにより、利用者は画面自体を切り替えることなく、容易に画質の比較を行うことができる。
【００１４】
請求項２に係る調整効果確認機能は、例えば、多画面表示された映像の画質の調整をある画面ではコントラストを調整し、他の画面でコントラストと共に明るさを調整し、その２画面を比べるというように、複数の画面に対して複数の調整項目を独立して変更でき、その状態を確認できるため、利用者は嗜好にあった調整値を容易に設定することができる。
【００１５】
請求項３に係る調整効果確認機能を備えた電子機器は、利用者が複数の画面を比較しながら容易に所望の画質に調整し、設定を行うことができる。
【発明を実施するための最良の形態】
【００１６】
以下、本発明を実施するための最良の形態としての実施例を図１から図８を参照して説明する。もちろん、本発明は、その発明の趣旨に反さない範囲で、実施例において説明した以外のものに対しても容易に適用可能なことは説明を要するまでもない。
【実施例１】
【００１７】
図１〜図４は、本発明の実施例１を示し、図１は、本実施例の電子機器であるテレビジョン受像機の構成を示すブロック図である。図２は実際に画質の調整を行う前の画面を示す平面図であり、図３は調整時の画面の状態を示す平面図である。図４は調整時の電子機器の動作を示すフローチャート図である。
【００１８】
実施例１における電子機器であるテレビジョン受像機の構成を、図１を用いて説明する。１は本実施例の電子機器であるテレビジョン受像機である。２は、放送電波を受信し選局を行うチューナである。３は、チューナで受信した放送電波の中間周波数の増幅を行うＩＦ回路であり、４は電子機器に電源を供給する電源部である。５はマイコンで、チューナ２やＩＦ回路３、電源部４、後述の画面制御部の制御を行うものである。マイコン５は、内部に制御／判断部５ａ、タイマカウント部５ｂ、指示部５ｃ、分割指示部５ｄ、分割制御部５ｅ及びマイコンの動作設定を記憶する不揮発性のメモリである記憶部５ｆを備えている。６は画面制御部であり、７は画面制御部により制御される表示部である。メモリ部５ｆは、内部にデフォルトの調整データ、調整項目、動作中の調整データ、調整を行った際の調整データ、ユーザ情報やその他の情報を記憶する記憶媒体である。
【００１９】
次に、実際に画面を調整する際の調整画面への画面遷移及び調整方法を図２及び３を用いて説明する。メニュー画面で、画面調整を選択した際の、表示画面を図２に示す。「１  分割表示」で、利用者に分割表示をするか否かの選択を促す。分割する場合は本発明の機能を実施し、しない場合は従来から用いられている単独の画面での調整を行う。続く項目は、画面を分割する場合のみに選択を行う。「２  画面数」では、画面の分割数を２画面若しくは３画面から選択する。「３  比較項目」では、分割した各画面で同一の項目に調整を行うか、各画面で独立として種々の項目に対して調整を行うかを選択する。「４  比較画面」では、分割画面の１つを調整前の設定とする「調整前後画面」と、分割画面の１つを電子機器の初期設定値で表示する「デフォルト画面」から選択する。以上の選択を終了したら、「５  項目選択」を選択することにより、調整を行う画面へと遷移する。
【００２０】
実際の画面調整を行う際の画面表示及び動作を図４のフローチャート図を用いて説明する。ステップ１０１において、設定項目を「明るさ」とする。ステップ１０２において、上記設定項目を「１  分割表示」をＹＥＳに、「２  画面数」を３画面に、「３  比較項目」を同一に、「４  比較画面」を調整前後画面に設定する。表示部には図３（ａ）に示すように画面は３分割されて表示される。分割画面Ａでは調整前に動作していた設定（本実施例では明るさ３０）で表示を行う。分割画面Ｂ及びＣも同様の数値によって表示されている。分割画面はそれぞれに現在調整中の項目名（ここでは「明るさ」）及び調整値を表示する。ステップ１０３において、選択中の分割画面を表すカーソル１０を用いて分割画面Ｂを選択する。ステップ１０４において、調整前の状態を表示した分割画面Ａの状態を元に、分割画面Ｂに対する表示された設定項目を、所望の状態になるよう、数値を変更し、確定をする。ステップ１０５，１０６において、分割画面Ｂと同様に分割画面Ｃを選択し、調整を行う。所望の画面となるまで調整を繰り返し、ステップ１０７において、調整の終了を判別する。調整の終了を終えたら、ステップ１０８において、分割画面Ａ，Ｂ，Ｃの何れかで利用者が所望の状態になった場合、その所望の状態である分割画面にカーソルを移動し、選択操作を行う。ステップ１０９、１１０，１１１において、確定操作を行うことで分割表示を解除し、選択した分割画面の設定で電子機器の動作を行う。例えば図３（ｂ）に示すように、分割画面Ｂの明るさを３５、分割画面Ｃの明るさを４５として、利用者が分割画面Ｃの状態を選択し、確定操作を行った場合は、分割を解除し、明るさを４５として映像を表示する。
【００２１】
以上のように構成される実施例１において、分割画面の１つを調整前に動作していた状態で表示し、他の分割画面によってコントラストや明るさなどの調整を行うことによって、調整前後の設定の差を容易に比較することができる。
【００２２】
また、実施例として電子機器にテレビジョン受像機を用いたが、特にこれに限定せず、電子機器としてＤＶＤなどの記録媒体に記憶されたデータの再生装置などの記録媒体に適用できることは言うまでもない。また、分割画面を３画面としたが、２画面若しくは４画面以上とし、内１つを調整前として表示してもよい。また、調整値を数字で表記したが、これをバー表示とすることにより、視認性をよくすることもできる。更に、分割画面の１つを、電子機器の動作設定の推奨値として設定したデフォルト設定として表示し、利用者が調整の目安とするようにしてもよい。
【実施例２】
【００２３】
次に本発明の実施例２を説明するが、前記実施例１と同一部分には同一符号を付し、重複する部分の説明を省略し、異なる部分についてのみ説明する。実施例１では、分割画面それぞれが同一の設定項目に対して調整した例を示したが、本実施例では、分割画面Ｂ及びＣが、それぞれ独立し、複数の調整項目を設定する方法を、図５を用いて説明する。分割画面ＢまたはＣをカーソル１０にて選択すると、自動的に選択した分割画面を図５（ｂ）に示すように、調整項目の選択画面を表示する。所望の項目を選択すると、その項目名及び設定値を表示し、利用者はその設定値を変更し確定操作を行う。すると、図５（ｂ）の画面に戻り、更に項目の選択を行う。分割画面に対する調整を終えたら、確定操作を行い、図５（ａ）の画面に戻る。その際、複数の項目の変更を加算して、分割画面の表示を行う。分割画面には、それぞれ現在の設定値が一覧として表示されており、映像の画質の比較と共に実際の設定値の比較が容易となる。
【００２４】
以上のように構成される実施例２において、実施例１と比べ、複数の分割画面をそれぞれ柔軟に設定の変更を行うことができ、多数の項目を変更した際の画質の比較を容易に行うことが可能となる。
【図面の簡単な説明】
【００２５】
【図１】本発明の実施例１を示す、電子機器のブロック図である。
【図２】同上、画面調整メニューを示す平面図である。
【図３】同上、多画面分割し調整を行う画面であり、（ａ）は分割直後、（ｂ）は調整終了時を示す平面図である。
【図４】同上、多画面分割を行い、画面調整を行う動作を示すフローチャート図である。
【図５】本発明の実施例２を示す、多画面分割し調整を行う画面であり、（ａ）は分割画面、（ｂ）は分割画面を選択した際に表示する設定項目メニューを示す平面図である。
【符号の説明】
【００２６】
１    電子機器
５    マイコン
５ａ  制御／判断部
５ｃ  指示部
５ｄ  分割指示部
５ｅ  分割制御部
５ｆ  メモリ（記憶部）
６    画面制御部
７    表示部
１０  カーソル
【図１】
2006311296.tif 000003
【図２】
2006311296.tif 000004
【図３】
2006311296.tif 000005
【図４】
2006311296.tif 000006
【図５】
2006311296.tif 000007